(57)【特許請求の範囲】
【請求項１】
容器本体のフランジ部に、該容器本体のフランジ部と略同じ外形を有し、開封用つまみと湯切り口開口用つまみが外周縁に有する蓋材をシールしてなる即席食品用容器において、該蓋材は、複合基材シートと表面シートとが所定の形状領域に易剥離剤を塗布することにより形成された易剥離層による易剥離領域と接着領域とに区画されて互いに積層接着され、前記表面シートの易剥離領域と接着領域の境界線よりやや易剥離領域側にハーフカットによる切断予定線が施され、前記易剥離領域内における複合基材シートに１個乃至数個の湯切り口が穿設された即席食品用容器の湯切り口付蓋材であって、前記切断予定線が、湯切り口開口用つまみよりみて左側に多数の左下がり切り目でなる切り目線を、右側に多数の右下がり切り目でなる切り目線をそれぞれ複数列設けてなることを特徴とする即席食品用容器の湯切り口付蓋材。
【発明の詳細な説明】
【０００１】
【発明の属する技術分野】
本発明は、焼そば、スパゲティなど即席食品の密封包装に使用する容器の蓋材に関するものであり、特に即席食品を予め温かくし柔らかくほぐすために注入する熱湯を排出するための湯切り口を備えた湯切り口付蓋材に関する。
【０００２】
【従来の技術】
従来の即席食品容器の湯切り口付蓋材は、例えば、図５の側断面図に示すように、突き破り用孔（７７）が穿設された表面シート（２０）の裏面にアルミニウム箔（１９）とシーラント層（１６）を積層したものであり、湯切りの際には、箸などで突き破り用孔（７７）からアルミニウム箔（１９）とシーラント層（１６）を突き破らなければならず、よって湯切り口の開口部の大きさや形状が一定にならず、また破りカスが食品等に混入する危惧のあるものであった。
【０００３】
これに対し、最近例えば、図６の側断面図に示すように、表面シート（２０）を外面側にして、その内面側（食品側）にサンドラミネート熱可塑性樹脂層（１８）、アルミニウム箔などでなる金属箔層（１７）、シーラントとなる熱可塑性樹脂層（１６）でなる複合基材シート（１０）のサンドラミネート熱可塑性樹脂層（１８）面と重ね合わせ積層したシート状の蓋（例えば円形状）であり、その蓋の外周円弧部分からその内側にかけて一部領域の前記複合基材シート（１０）と表面シート（２０）との重ね合わせ内面には、易剥離剤（剥離ニス）を塗布することにより形成された易剥離層（３０）による易剥離領域（Ｌ1 ）を備え、それ以外の該複合基材シート（１０）と表面シート（２０）との重ねあわせ内面には、接着された状態の接着領域（Ｌ2 ）を備えていて、表面シート（２０）の易剥離領域（Ｌ1 ）と接着領域（Ｌ2 ）の境界線に、表面シート（２０）の表面より多数のミシン目でなるミシン目線（２２）を施したものがある。
【０００４】
そして、易剥離領域（Ｌ1 ）内における複合基材シート（１０）に１個乃至数個の湯切り口（１２）が穿設（実用上は衛生面等を考慮して湯切り口（１２）周辺をハーフカットして、使用時に穿設する場合が多い）されている。
【０００５】
上記のような構造の即席食品用容器の湯切り口付蓋材は、図７に示すように、即席食品を入れた容器本体（２）の上端部にあるフランジ部（２１）に接着シールして密封包装することにより即席食品を密封包装した即席食品用容器となるものである。
【０００６】
上記のように即席食品を密封包装した容器は、図４に示す接着領域（Ｌ2 ）側の蓋材外周にある開封用つまみ（１３）を引っ張り上げて、容器本体（２）の開口フランジ部（２１）から接着領域（Ｌ2 ）側の複合基材シート（１０）を約１／３程度部分的に剥がして開口し、その開口部（図示せず）より熱湯を注入した後、接着領域（Ｌ2 ）側の蓋材外周にある開封用つまみ（１３）を再度フランジ部（２１）の外側に折り込むようにして施蓋し、数分間放置して容器本体（２）の中にある即席食品（図示せず）を温め柔らかくほぐす。
【０００７】
その後、図４に示すように、易剥離領域（Ｌ1 ）の外周縁にある湯切り口開口用つまみ（１４）を引っ張り上げて、ミシン目線（図示せず）でなる切断予定線（２４）に沿ってそのミシン目を順順に破りながら易剥離領域（Ｌ1 ）の表面シート（２０）を複合基材シート（１０）から剥がし、複合基材シート（１０）の易剥離領域（Ｌ1 ）に穿設された湯切り口（１２）を露出させ、容器本体（２）を傾けながら、容器本体（２）の中にある湯を湯切り口（１２）から排出することができるようになっている。
【０００８】
【発明が解決しようとする課題】
しかしながら、上記のように、湯切り口（１２）を露出するための易剥離領域（Ｌ1 ）に於ける表面シート（２０）の剥離に際し、湯切り口開口用つまみ（１４）を引っ張り上げると、例えば図８に示すように、表面シート（２０）がミシン目線（２２）より外れて破れはじめ、ミシン目線（２２）より易剥離領域（Ｌ1 ）側にその破れ目（２７）となって剥離されたり、あるいはその理由を後述するが、剥離の途中からミシン目線（２２）より外れて破れたりして、その破れが直線性に欠け、表面シート（２０）の剥離性に乏しいものとなる危惧のあるものであった。
【０００９】
上記の途中から破れる訳は、図９（ａ）のミシン目部の側断面を表す模式図に示すように、ミシン目を表面シート（２０）の印刷面である表面（２０ａ）より施すことによって、ミシン目線（２２）の端面（２２ａ）が毛羽状に垂れ下がり、図９（ｂ）に示すように、例えばサンドラミネート熱可塑性樹脂層（１８）、金属箔層（１７）、シーラントとなる熱可塑性樹脂層（１６）の順で積層してなる複合基材シート（１０）のサンドラミネート熱可塑性樹脂層（１８）に、垂れ下がったミシン目線（２２）の端面（２２ａ）の毛羽が埋め込まれるため、ミシン目線（２２）よりの切れ（破れ）が直線性に欠け、表面シート（２０）の剥離性に欠ける危惧のあるものであった。
【００１０】
さらにまた、図１０（ａ）に示すように、ミシン目線（２２）が表面シート（２０）の印刷面である表面（２０ａ）より完全貫通されずに施された場合は、表面シート（２０）のミシン目線（２２）より切り（破り）、剥離すると、図１０（ｂ）に示すように、例えば紙層でなる表面シート（２０）の層内剥離となり、ミシン目線（２２）からの切れ（破れ）が直線性に欠け、表面シート（２０）の剥離性に欠ける危惧のあるものであった。
【００１１】
本発明は、かかる従来技術の問題点を解決するものであり、その課題とするところは、湯切りを必要とする焼きそば等即席食品用容器の蓋材において、湯切り口孔を露出させるための表面シートの剥離が切断予定線に従った直線カット性に優れ、かつ軽く安定してできる即席食品用容器の湯切り口付蓋材を提供することにある。
【００１２】
【課題を解決するための手段】
本発明に於いて上記課題を達成するために、本発明では、容器本体のフランジ部に、該容器本体のフランジ部と略同じ外形を有し、開封用つまみと湯切り口開口用つまみが外周縁に有する蓋材をシールしてなる即席食品用容器において、該蓋材は、複合基材シートと表面シートとが所定の形状領域に易剥離剤を塗布することにより形成された易剥離層による易剥離領域と接着領域とに区画されて互いに積層接着され、前記表面シートの易剥離領域と接着領域の境界線よりやや易剥離領域側にハーフカットによる切断予定線が施され、前記易剥離領域内における複合基材シートに１個乃至数個の湯切り口が穿設された即席食品用容器の湯切り口付蓋材であって、前記切断予定線が、湯切り口開口用つまみよりみて左側に多数の左下がり切り目でなる切り目線を、右側に多数の右下がり切り目でなる切り目線をそれぞれ複数列設けてなることを特徴とする即席食品用容器の湯切り口付蓋材としたものである。
【００１３】
【発明の実施の形態】
以下本発明の実施の形態を図面を用いて詳しく説明する。
本発明の即席食品用容器の湯切り口付蓋材は、図１の側断面図に示すように、容器本体（２）のフランジ部（２１）に、図２の平面図に示すような開封用つまみ（１３）と湯切り口開口用つまみ（１４）が外周縁に有する蓋材をシールしてなる即席食品用容器において、該蓋材は、複合基材シート（１０）と表面シート（２０）とが所定の形状領域に易剥離剤を塗布することにより形成された易剥離層（３０）による易剥離領域（Ｌ1 ）と接着領域（Ｌ2 ）とに区画されて互いに積層接着され、前記表面シート（２０）の易剥離領域（Ｌ1 ）と接着領域（Ｌ2 ）の境界線（７０）よりやや易剥離領域（Ｌ1 ）側にハーフカットによる切断予定線（２４）が施され、前記易剥離領域（Ｌ1 ）内における複合基材シート（１０）に１個乃至数個の湯切り口（１２）が穿設された即席食品用容器の湯切り口付蓋材（１）であって、前記切断予定線（２４）が、図３の平面拡大図に示すように、湯切り口開口用つまみ（１４）よりみて左側に多数の左下がり切り目（２５ａ）でなる切り目線（２５）を、右側に多数の右下がり切り目（２５ｂ）でなる切り目線（２５）をそれぞれ複数列設けたことを特徴とするものである。
【００１４】
上記表面シート（２０）にハーフカットで複数列設ける切り目線（２５）について具体的に説明すると、図３に示すように、まず左下がり切り目（２５ａ）は、切り裂きの進行方向（Ｐ）に対して約２０度左下がりの形状のものが、進行方向に直線的に多数設けて切り目線（２５）とし、この切り目線（２５）が少なくとも２列以上設ける必要がある。また、これら左下がり切り目（２５ａ）でなる切り目線（２５）の右側に隣接するように、切り裂きの進行方向（Ｐ）に対して約２０度右下がりの形状の右下がり切り目（２５ｂ）が、進行方向に直線的に多数設けられてなる切り目線（２５）も２列以上設ける必要があり両者の列数は同じとする方が好ましい。
【００１５】
上記のように、切断予定線（２４）が所定の幅をもった複数列の切り目線（２５）でなるため、湯切り口開口用つまみ（１４）を引っ張り上げて表面シート（２０）を剥離するに際し、その剥離始めにおいて、従来のミシン目でなる切断予定線のように切断予定線（２４）から外れて破れ始めて剥離されたりすることがなく、また、例え切り目（２５ａ、２５ｂ）で表面シート（２０）の層内剥離が発生したとしても、次にくる切り目（２５ａ、２５ｂ）でカバーすることができるので、その切れ（破れ）が略直線性があり、容易に剥離を可能にすることができる。
【００１６】
本発明の即席食品用容器の湯切り口付蓋材を構成する表面シート（２０）としては、その表面が印刷適性に優れている必要があるため、紙が主体となり例えば米坪量１２７．９ｇ／ｍ2 程度の片面アート紙、両面アート紙が好ましく、他に同程度の厚さのコート紙、上質紙なども用いられ、合成紙でも良く、剥離のための引っ張りで所定の部分以外で破れたりしないように上記紙類に合成樹脂フィルムをラミネートしたものなどを用いることもできる。
【００１７】
また、複合基材シート（１０）としては、図１に示すように、例えば、容器内面側（図面では下側）から順に、シーラントとなる２５μｍ程度の熱可塑性樹脂層（１６）、主にアルミニウムでなる９μｍ程度のアルミニウム箔などの金属箔層（１７）、溶融押し出しラミネートポリエチレンもしくはポリエチレンフィルム等のラミネートでなる１５μｍ程度の熱可塑性樹脂層（１８）からなるが、特に最内層である熱可塑性樹脂層（１６）が、容器とのヒートシール適性の優れた熱可塑性樹脂を用いる必要があり、例えば低密度ポリエチレン樹脂、中密度ポリエチレン樹脂、ポリプロピレン樹脂、エチレン−プロピレン共重合体などが挙げられ、適宜フィルムとしてもしくは溶融押し出しラミネート用として用いることができる。
【００１８】
また、易剥離層（３０）を塗布によって形成する易剥離剤としては、ニトロセルロース（硝化綿）系樹脂、ウレタン系樹脂、ポリアミド系樹脂等を主成分とする剥離ニスが挙げられ、適宜用途に応じて使用できる。
【００１９】
次に本発明の即席食品用容器の湯切り口付蓋材（１）の使用方法について説明する。
まず、図４に示すように、開封用つまみ（１３）を摘んで上記蓋材を、容器本体（２）のフランジ部（２１）から対向する方向へ約１／３程剥がし、熱湯を容器本体（２）へ注入する。次いで、開封用つまみ（１３）を容器本体（２）のフランジ部（２１）に折り曲げて再封し、内容物である食品を温め、かつほぐすための所定時間をおき、その後湯切り口開口用つまみ（１４）を摘んで引っ張り上げ、切り目線（２５）に沿って易剥離領域（Ｌ1 ）にある表面シート（２０）を破り、剥離して、湯切り口（１２）を露出開口させ、容器本体（２）を傾けて湯切り口（１２）より不要となった湯を排出するものである。
【００２０】
本発明の即席食品用容器の湯切り口付蓋材（１）は、熱湯を注いで温め、柔らかくほぐし、湯切りしてから食する即席焼きそばやスパゲッティなどの容器の蓋材として好適に用いることができる。
【００２１】
【発明の効果】
本発明は以上の構成であるから、下記に示す如き効果がある。
即ち、容器本体のフランジ部に、該容器本体のフランジ部と略同じ外形を有し、開封用つまみと湯切り口開口用つまみが外周縁に有する蓋材をシールしてなる即席食品用容器において、該蓋材は、複合基材シートと表面シートとが所定の形状領域に易剥離剤を塗布することにより形成された易剥離層による易剥離領域と接着領域とに区画されて互いに積層接着され、前記表面シートの易剥離領域と接着領域の境界線よりやや易剥離領域側にハーフカットによる切断予定線が施され、前記易剥離領域内における複合基材シートに１個乃至数個の湯切り口が穿設された即席食品用容器の湯切り口付蓋材であって、前記切断予定線が、湯切り口開口用つまみよりみて左側に多数の左下がり切り目でなる切り目線を、右側に多数の右下がり切り目でなる切り目線をそれぞれ複数列設けたものとすることによって、その切断予定線が所定の幅をもった複数列の切り目線でなるため、湯切り口開口用つまみを引っ張り上げて表面シートを剥離するに際し、その剥離始めにおいて、従来のミシン目でなる切断予定線のように切断予定線から外れて破れ始めて剥離されたりすることがなく、また、例え切り目で表面シートの層内剥離が発生したとしても、次にくる切り目でカバーすることができるので、その切れ（破れ）が略直線性に優れ、かつ容易に剥離を可能にすることができる。
【００２２】
従って本発明は、即席焼きそばやスパゲッティ等の如き熱湯を注いで温め、ほぐした後、湯切りを行い食する即席食品用容器の湯切り口付蓋材として、優れた実用上の効果を発揮する。
【図面の簡単な説明】
【図１】本発明の即席食品用容器の湯切り口付蓋材の一実施の形態を側断面で表した説明図である。
【図２】本発明の即席食品用容器の湯切り口付蓋材の一実施の形態を説明するための平面図である。
【図３】本発明の即席食品用容器の湯切り口付蓋材の一実施の形態を平面で表した拡大図である。
【図４】本発明の即席食品用容器の湯切り口付蓋材の表面シートを剥離した一実施の形態を説明するための斜視図である。
【図５】従来の即席食品用容器の湯切り口付蓋材の一事例を説明するための側断面図である。
【図６】従来の即席食品用容器の湯切り口付蓋材の他の一事例を説明するための側断面図である。
【図７】従来の即席食品用容器の一事例を説明するための側断面図である。
【図８】従来の即席食品用容器の湯切り口付蓋材の剥離状態の一事例を説明するための平面概略図である。
【図９】従来の即席食品用容器の湯切り口付蓋材を構成するミシン目部の一実施の形態を説明するための模式図で、
（ａ）は、表面シートの形状を表し、
（ｂ）は、複合基材シートとの積層形状を表したものである。
【図１０】従来の即席食品用容器の湯切り口付蓋材を構成するミシン目部の他の一実施の形態を説明するための模式図で、
（ａ）は、ミシン目の一形状を表し、
（ｂ）は、ミシン目からの剥離状態を表したものである。
【符号の説明】
１‥‥即席食品用容器の湯切り口付蓋材
２‥‥容器本体
１０‥‥複合基材シート
１２‥‥湯切り口
１３‥‥開封用つまみ
１４‥‥湯切り口開口用つまみ
１６‥‥シーラントとなる熱可塑性樹脂層
１７‥‥金属箔層
１８‥‥サンドラミ熱可塑性樹脂層
２０‥‥表面シート
２０ａ‥‥表面シートの表面
２０ｂ‥‥表面シートの裏面
２２‥‥ミシン目線
２２ａ‥‥ミシン目の端面
２４‥‥切断予定線
２５‥‥切り目線
２５ａ‥‥左下がりの切り目
２５ｂ‥‥右下がりの切り目
２７‥‥破れ目
３０‥‥易剥離層
７０‥‥境界線
７７‥‥突き破り用孔
Ｌ1 ‥‥易剥離領域
Ｌ2 ‥‥接着領域
Ｐ‥‥切断の方向
【図１】
0004221806.tif 000002
【図２】
0004221806.tif 000003
【図３】
0004221806.tif 000004
【図４】
0004221806.tif 000005
【図５】
0004221806.tif 000006
【図６】
0004221806.tif 000007
【図７】
0004221806.tif 000008
【図８】
0004221806.tif 000009
【図９】
0004221806.tif 000010
【図１０】
0004221806.tif 000011